(57)【要約】【課題】  高精細な画質を得られるインクジェット記録装置及びインクジェット記録方法を提供することを目的とする。【解決手段】  主走査と副走査とを交互に行い、一の主走査によって複数のラインを同時に出力して画像を形成するインクジェット記録装置であって、一の主走査において記録される複数のラインの先頭ライン（７１、７３、７５、７７、７９、８１）及び最終ライン（７２、７４、７６、７８、８０）に出力すべきデータがあるか否かを検出するデータ検出手段と、当該副走査における記録媒体の搬送手段を切り替える搬送手段切り替え手段とを有し、当該データ検出手段が一の主走査における最終ライン（７２）と該主走査に続く次の主走査における先頭ライン（７３）とのそれぞれに出力すべきデータが存在することを検出した場合に、当該搬送手段切り替え手段が搬送手段を高精度に切り替えることを特徴とする。【選択図】  図６
2007038509.tif 000002
【特許請求の範囲】
【請求項１】
主走査と副走査とを交互に行い、一の主走査によって複数のラインを同時に記録して画像を形成するインクジェット記録装置であって、
一の主走査において記録される複数のラインの先頭ライン及び最終ラインに記録すべきデータがあるか否かを検出するデータ検出手段と、
前記副走査における記録媒体の搬送手段を切り替える搬送手段切り替え手段と、を有し、
前記データ検出手段が、一の主走査における最終ラインと該主走査に続く次の主走査における先頭ラインとのそれぞれに記録すべきデータが存在することを検出した場合に、前記搬送手段切り替え手段が搬送手段を高精度に切り替える、
ことを特徴とするインクジェット記録装置。
【請求項２】
前記データ検出手段が一の主走査における最終ラインと該主走査に続く次の主走査における先頭ラインとのうちの少なくとも一方に記録すべきデータが存在しないことを検出した場合に、前記搬送手段切り替え手段が搬送手段を通常又は高速に切り替える、
ことを特徴とする請求項１に記載のインクジェット記録装置。
【請求項３】
前記高精度の搬送手段の利用を禁止する禁止手段をさらに有することを特徴とする請求項１又は２の何れか一項に記載のインクジェット記録装置。
【請求項４】
主走査と副走査とを交互に行い、一の主走査によって複数のラインを同時に記録して画像を形成するインクジェット記録装置におけるインクジェット記録方法であって、
一の主走査において記録される複数のラインの先頭ライン及び最終ラインに記録すべきデータがあるか否かを検出するデータ検出ステップと、
前記副走査における記録媒体の搬送手段を切り替える搬送手段切り替えステップと、を有し、
前記データ検出ステップにおいて、一の主走査における最終ラインと該主走査に続く次の主走査における先頭ラインとのそれぞれに記録すべきデータが存在することを検出した場合に、前記搬送手段切り替えステップにおいて搬送手段を高精度に切り替える、
ことを特徴とするインクジェット記録方法。
【請求項５】
前記データ検出ステップにおいて、一の主走査における最終ライン又は該主走査に続く次の主走査における先頭ラインとのうちの少なくとも一方に記録すべきデータが存在しないことを検出した場合に、前記搬送手段切り替えステップにおいて搬送手段を通常又は高速に切り替える、
ことを特徴とする請求項４に記載のインクジェット記録方法。
【請求項６】
前記高精度の搬送手段の利用を禁止する禁止ステップをさらに有することを特徴とする請求項４又は５の何れか一項に記載のインクジェット記録方法。
【発明の詳細な説明】
【技術分野】
【０００１】
本発明はインクジェット記録装置及びインクジェット記録方法に関し、特に、記録すべきデータの内容に応じて記録媒体の搬送手段を切り替えるインクジェット記録装置及びインクジェット記録方法に関する。
【背景技術】
【０００２】
紙、ＯＨＰ（Ｏｖｅｒ  Ｈｅａｄ  Ｐｒｏｊｅｃｔｏｒ）用シートなどの印刷用紙に対して記録を行う記録装置には、種々の記録方式による記録ヘッドを搭載したものが提案されている。この記録ヘッドには、ワイヤードット方式、感熱方式、熱転写方式、インクジェット方式によるものなどがあり、特に、インクジェット方式は、ランニングコストが安く、静粛性に優れた記録が可能な方式として注目されている。
【０００３】
上記のような記録装置は、記録ヘッドを搭載したキャリッジが印刷用紙を走査しかつ記録する（以下、「スキャンする」という。）キャリッジ走査型を採用しており、キャリッジ走査型のインクジェットプリンタにおいては、キャリッジ走査によって記録ヘッドに備えられた多数のノズルが記録すべき情報に基づき駆動され、１スキャン領域の記録を行った後、印刷用紙をキャリッジの進行方向（主走査方向）に直行する方向（副走査方向）に１スキャン領域分だけ送るようになっており、このスキャンと印刷用紙の搬送とを交互に行うことにより画像が印刷用紙上に形成される。
【０００４】
しかし、主走査方向へのスキャンと副走査方向への印刷用紙の搬送とを交互に行うことによって画像を形成するインクジェット記録装置では、印刷用紙の搬送幅が大きい場合、先行するスキャンで記録した画像と後続のスキャンで記録する画像とのつなぎ部に白スジが発生し、反対に印刷用紙の搬送幅が小さい場合、先行するスキャンで記録した画像と後続のスキャンで記録する画像とに一部重なりが発生し画像の品質が低下してしまうという問題がある。
【０００５】
このような問題に対し、インクジェット記録装置において出力画像の高画質化を図る方法が知られている（特許文献１参照。）。すなわち、一回当たりの紙送り幅を基準より少なめに設定し、スキャンで記録した画像間のつなぎ部において先行するスキャンで記録される画像と後続のスキャンで記録される画像とを一部重ね、かつ重なり部分のインク量を制御することにより、つなぎ部における印刷の欠落による白スジ又は重なり部分の過剰なインク量による黒スジのない高精細な画像を得る方法である。
【特許文献１】特開２００４−１６８００３号公報
【発明の開示】
【発明が解決しようとする課題】
【０００６】
しかしながら、上述の方法では、紙送り幅が基準より少ないことから１ページ分の印字に要する時間が長くなり、重なり部分のインク量の制御が必要となってインク吐出量の制御も複雑となる。
【０００７】
上記問題点に鑑み、本発明はインク吐出量の制御を複雑にすることなく、高精細な画質を得られるインクジェット記録装置及びインクジェット記録方法を提供することを目的とする。
【課題を解決するための手段】
【０００８】
上記目的を達成するために、本発明に従ったインクジェット記録装置は、主走査と副走査とを交互に行い、一の主走査によって複数のラインを同時に記録して画像を形成するインクジェット記録装置であって、一の主走査において記録される複数のラインの先頭ライン及び最終ラインに記録すべきデータがあるか否かを検出するデータ検出手段と、当該副走査における記録媒体の搬送手段を切り替える搬送手段切り替え手段と、を有し、当該データ検出手段が、一の主走査における最終ラインと該主走査に続く次の主走査における先頭ラインとのそれぞれに記録すべきデータが存在することを検出した場合に、前記搬送手段切り替え手段が高精度の搬送手段に切り替えることを特徴とする。
【０００９】
また、本発明に従ったインクジェット記録装置は、当該データ検出手段が一の主走査における最終ラインと該主走査に続く次の主走査における先頭ラインとのうちの少なくとも一方に記録すべきデータが存在しないことを検出した場合に、当該搬送手段切り替え手段が通常又は高速の搬送手段に切り替えることを特徴とする。
また、本発明に従ったインクジェット記録装置は、当該高精度の搬送手段の利用を禁止する禁止手段をさらに有することを特徴とする。
【００１０】
また、本発明に従ったインクジェット記録方法は、主走査と副走査とを交互に行い、一の主走査によって複数のラインを同時に記録して画像を形成するインクジェット記録装置におけるインクジェット記録方法であって、一の主走査において記録される複数のラインの先頭ライン及び最終ラインに記録すべきデータがあるか否かを検出するデータ検出ステップと、当該副走査における記録媒体の搬送手段を切り替える搬送手段切り替えステップとを有し、当該データ検出ステップにおいて、一の主走査における最終ラインと該主走査に続く次の主走査における先頭ラインとのそれぞれに記録すべきデータが存在することを検出した場合に、当該搬送手段切り替えステップにおいて高精度の搬送手段に切り替えることを特徴とする。
【００１１】
また、本発明に従ったインクジェット記録方法は、当該データ検出ステップにおいて、一の主走査における最終ライン又は該主走査に続く次の主走査における先頭ラインとのうちの少なくとも一方に記録すべきデータが存在しないことを検出した場合に、当該搬送手段切り替えステップにおいて通常又は高速の搬送手段に切り替えることを特徴とする。
【００１２】
また、本発明に従ったインクジェット記録方法は、当該高精度の搬送手段の利用を禁止する禁止ステップをさらに有することを特徴とする。
【発明の効果】
【００１３】
本発明により、高精細な画質を得られるインクジェット記録装置及びインクジェット記録方法を提供することが可能となる。
【発明を実施するための最良の形態】
【００１４】
本発明を実施するための最良の形態を、図面を参照しながら説明する。図１は、本発明によるインクジェット記録装置１００の基本的な構成例を示すブロック図である。図１のインクジェット記録装置１００は、操作部１０、制御部２０、ＨＤＤ（Ｈａｒｄ  Ｄｉｓｋ  Ｄｒｉｖｅ）コントローラ３１、コントローラ３２、画像用ＲＡＭ（Ｒａｎｄｏｍ  Ａｃｃｅｓｓ  Ｍｅｍｏｒｙ）３３、ＨＤＤ３４、印字部３６、センサ３７、搬送モータ３８、ＮＣＵ（Ｎｅｔｗｏｒｋ  Ｃｏｎｔｒｏｌ  Ｕｎｉｔ）３９及びホストＰＣ（Ｐｅｒｓｏｎａｌ  Ｃｏｍｐｕｔｅｒ）４０から構成される。
【００１５】
操作部１０は、操作のためのボタンやタッチパネル、機器状態表示のためのインジケータ（ＬＥＤ（Ｌｉｇｈｔ  Ｅｍｉｔｔｉｎｇ  Ｄｉｏｄｅ）やＬＣＤ（Ｌｉｑｕｉｄ  Ｃｒｙｓｔａｌ  Ｄｉｓｐｌａｙ）等の表示器）、液晶などの表示部、スピーカー等、機器操作者とのマンマシンインターフェース部である。
【００１６】
制御部２０は、ＣＰＵ（Ｃｅｎｔｒａｌ  Ｐｒｏｃｅｓｓｉｎｇ  Ｕｎｉｔ）２１、ＣＰＵ２１を動作させるためのプログラムを格納するＲＯＭ（Ｒｅａｄ  Ｏｎｌｙ  Ｍｅｍｏｒｙ）２２、プログラムの実行に使用されるＲＡＭ２３、制御やタイミングなどの調整値及び登録されたモード設定を格納し電源を切断してもデータを保持しておくことが可能なＮＶＲＡＭ（Ｎｏｎ‐Ｖｏｌａｔｉｌｅ  ＲＡＭ）２４、及び、搬送ローラ等に設けられたエンコーダを検出するセンサ３７からの信号に基づいて搬送モータ３８を制御するＩＯ（Ｉｎｐｕｔ／Ｏｕｔｐｕｔ）制御部２５から構成される。
【００１７】
コントローラ３２は、ＣＰＵ２１の命令に従い、ＨＤＤコントローラ３１、印字部３６、画像用ＲＡＭ３３及びＮＣＵ３９を制御する。ＨＤＤコントローラ３１は、ＨＤＤ３４の読み出し又は書き込みを制御する。画像用ＲＡＭ３３は、印字データを１ページ毎に展開した画像データを保持する。印字部３６は、コントローラ３２から受信する画像データに基づいて記録ヘッドからインクを吐出し印刷用紙に画像を形成する。ＮＣＵ３９は、外部のホストＰＣ４０とインクジェット記録装置１００とを接続する通信ユニットである。センサ３７は、紙送り量を判断する光学センサ（図示せず。）や記録ヘッドの位置決めを行う画像レジストセンサ（図示せず。）等である。搬送モータ３８は、搬送ローラ、給紙ローラ及び静電搬送ベルト等を駆動する。
【００１８】
ＣＰＵ２１は、ＲＯＭ２２に格納されているプログラムにより、機能実現手段であるデータ検出手段４１、搬送手段切り替え手段４２及び禁止手段４３を実行する。データ検出手段４１は、画像用ＲＡＭ３３に展開された画像データの所定の部分に出力すべきデータが存在するか否かを検出し、紙送り制御情報を生成する。搬送手段切り替え手段４２は、データ検出手段４１が生成する紙送り制御情報に基づき紙送り精度を切り替える。禁止手段４３は、ユーザーが操作部１０を介して行った設定に基づき、データ検出手段４１による高精度の紙送りの設定ができないようにする。また、禁止手段４３は、データ検出手段４１が既に高精度の紙送りの設定を行っている場合、その設定を取り消すようにする。
【００１９】
図２は、本発明によるインクジェット記録装置１００の紙送り機構の例を示す図である。図中の矢印Ａは印刷用紙の搬送経路を示す。給紙ローラ５８は搬送モータ３８により時計回りに回転し、給紙トレイ６０内に積層されている印刷用紙を１枚ずつ搬送経路に送出する。搬送経路に送出された印刷用紙は、第１加圧コロ５２と搬送モータ３８により時計回りに回転する搬送ローラ５３との間を通り、キャリッジ５０に搭載されるヘッド５１と静電搬送ベルト５４との間に送られる。静電搬送ベルト５４は帯電ローラ５５により帯電される。キャリッジ５０に搭載されるヘッド５１により画像が記録された印刷用紙は排紙コロ５６を介して排紙トレイ５７に至る。
【００２０】
紙送りの精度は、搬送モータ３８の紙送り幅一回分当たりの回転角度、回転速度、フィードバック制御の有無等に依存する。紙送りには「高精度」、「通常」及び「高速」の３つの設定があり、「通常」設定では、搬送モータがＩＯ制御部２５からの信号に基づいて一スキャン毎に一定の回転角度だけ一定速度で回転する。
【００２１】
「高精度」の設定では、搬送モータ３８は搬送ローラ５３と同じ軸上を回転するエンコーダ６１に備えられたセンサ３７からの情報に基づいて制御されながら回転する。搬送ローラ５３と同じ軸上を回転するエンコーダ６１は、搬送ローラ５３より大きな径を持つ円板であり周辺部にスリットを有する。センサ３７は、そのスリットを検出することで搬送ローラ５３の回転角度を検出することができる。このエンコーダの径が大きいほど搬送ローラの回転角度の検出精度が向上する。センサ３７で得られた搬送ローラの回転角度は、搬送モータ３８の制御に利用され高精度の紙送りを実現する。また、エンコーダ付静電搬送ベルト５４によるフィードバック制御等によっても高精度の紙送りが実現可能である。
【００２２】
「高速」の設定では、搬送モータ３８が「通常」設定よりも高速で回転する。より高速に搬送モータを回転させることで、より高速に画像を形成することも可能だが、この場合には紙送り精度が低下する場合がある。
【００２３】
図３は、本発明の実施例で使用されるヘッドの構成例を示す図である。また、矢印Ｂは副走査方向を示す。複数のヘッド５１−１乃至５１−５はキャリッジ５０の印刷用紙に面する側に配置され、ヘッド５１−１乃至５１−５のそれぞれはインクを吐出する複数のノズル６１を有する。複数のノズル６１は、副走査方向に一列につき１９２個の２列のノズル６１の列を構成する。この２列は近接し、同一列内の隣接するノズル６１が１５０ＤＰＩ（Ｄｏｔｓ  Ｐｅｒ  Ｉｎｃｈ）の密度となるよう並置され、各列は３００ＤＰＩの密度だけわずかに副走査方向にずらして配置される。従って、ヘッド５１の印字幅は、１９２／１５０＝約１．２８インチ（約３２．５ｍｍ）となり、この幅が１スキャンの幅に対応する。ヘッド５１−１乃至５１−５のそれぞれは、シアン、マゼンタ、イエロー又はブラック等の色に対応する。画像レジストセンサ６２は、キャリッジ５０の印刷用紙に面する側に配置され印刷用紙上の画像を出力すべき位置を検出するために使用される。
【００２４】
図４は、画像データと紙送り制御情報を取得する流れを示すフローチャートである。ＣＰＵ２１は、コントローラ３２及びＮＣＵ３９を介してホストＰＣ４０から印字データを受信する（ステップＳ１）。ＣＰＵ２１は、コントローラ３２を介して画像用ＲＡＭ３３に受信した印字データを画像データとして１ページ毎に展開する（ステップＳ２）。その後、ＣＰＵ２１にあるデータ検出手段４１が、画像ＲＡＭ３３に展開された１ページの画像データの所定領域に印字部３６が出力すべきデータが存在するか否かを検出し、各スキャンの間に行われる紙送りをどの程度の精度で制御するかを紙送り制御情報として決定し、ＲＡＭ２３に記憶する（ステップＳ３）。その後、ＣＰＵ２１は、画像データの出力に備えるため、コントローラ３２及びＨＤＤコントローラ３１を介して画像用ＲＡＭ３３に展開された画像データをＨＤＤ３４に記憶する（ステップＳ４）。
【００２５】
図５は、印字部３６が１ページの画像データを出力する流れを示すフローチャートである。まず、ＣＰＵ２１は、ＨＤＤコントローラ３１及びコントローラ３２を介してＨＤＤ３４から一スキャン分の画像データを読み出す（ステップＳ１１）。一回目のスキャンなので、ＣＰＵ２１は、読み出した画像データを印字部３６に送信し、印字部３６は記録ヘッドからインクを吐出することにより画像データを印刷用紙に出力する（ステップＳ１２）。その後、ＣＰＵ２１は、次の一スキャン分の画像データをＨＤＤ３４から読み出す（ステップＳ１３）。また、ＣＰＵ２１は、１回目のスキャンと２回目のスキャンとの間の紙送りに関する紙送り制御情報をＲＡＭ２３から読み出す（ステップＳ１４）。搬送手段切り替え手段４２は、ＲＡＭ２４から読み出した紙送り制御情報に基づき、ＩＯ制御２５を介して搬送モータ３８を駆動し紙送りを実行する（ステップＳ１５）。紙送りが実行された後、印字部３６は、一スキャン分の画像データを印刷用紙に出力する（ステップＳ１６）。その後、ＣＰＵ２１は、ＨＤＤ３４に次のスキャンにより出力すべきデータが存在するか否かを判断し（ステップＳ１７）、存在する場合には、ステップＳ１３乃至Ｓ１６を繰り返す。存在しない場合には処理を終了する。
【００２６】
図６は、画像用ＲＡＭ３３に展開される画像データの構成例を示す図である。矢印Ｃは主走査方向を、矢印Ｄは副走査方向を擬似的に示す。画像用ＲＡＭ３３上には、１ページ毎に画像データが展開されており、Iは、１回目のスキャンで出力すべき領域（以下、「スキャン領域」という。）を示し、II、III、IV、V及びVIはそれぞれ、２、３、４、５及び６回目のスキャン領域を示す。ラインは、キャリッジ５０がスキャンする方向である主走査方向に形成する線形の記録単位を意味し、１スキャン領域に含まれるライン数は、例えばノズルの個数に相当する３８４ラインであってもよく、それより少ないライン数であってもよいが、１スキャン領域は複数のラインで構成される。また、スキャン領域の排紙トレイ５７側の端にあるラインを先頭ライン、その反対端にあるラインを最終ラインとする。先頭ライン又は最終ラインに出力すべき画像データがある場合とは、インクを印刷用紙上に吐出して先頭ライン又は最終ラインを形成するノズル６１の少なくとも１つがインクを吐出する命令に対応する画像データを有している場合をいい、先頭ライン又は最終ラインに出力すべきデータがない場合とは、先頭ライン又は最終ラインを形成する何れのノズル６１にも対応する画像データがなく、先頭ライン又は最終ライン全体にわたって印刷用紙に出力が行われない場合を言う。ただし、先頭ライン又は最終ラインを形成するノズル６１に対応する画像データが所定の数又は所定の値である場合を、先頭ライン又は最終ラインに出力すべき画像データがない場合に含めてもよい。画像品質に影響を与えない程度の少数の或いは色彩強度の低い画像データが存在する場合もあるからである。
【００２７】
１回目のスキャン領域Iには先頭ライン７１及び最終ライン７２が存在する。2回目以降のスキャン領域にもそれぞれ、先頭ライン７３、７５、７７、７９及び８１並びに最終ライン７４、７６、７８及び８０が存在する。
【００２８】
図７は、先行するスキャン領域中の最終ライン及び後続のスキャン領域中の先頭ラインにおいて出力すべき画像データが存在するか否かを検出し、その検出に基づき紙送り精度を切り替える方法を示すフローチャートである。
【００２９】
データ検出手段４２はまず、１ページ毎に画像用ＲＡＭ３３に展開され、複数のスキャン領域に分割された画像データのうち、一のスキャン領域中の最終ライン及びそれに後続するスキャン領域の先頭ラインの画像データを取得する（ステップ２１）。次にデータ検出手段４２は、当該最終ライン及び当該先頭ラインに出力すべきデータが存在するか否かを検出する（ステップＳ２２）。出力すべきデータが存在する場合には（ステップＳ２２のＹＥＳ）、データ検出手段４１は、当該スキャン間の紙送りを高精度にするよう紙送り制御情報を「高精度」に設定する（ステップＳ２３）。印字部３６による実際の出力の際には、この紙送り制御情報に基づいて、搬送手段切り替え手段４２が、大径のエンコーダ６１等による高精度の紙送りをＣＰＵ２１に実行させる。一方、一のスキャン領域の最終ライン及び後続のスキャン領域の先頭ラインのうちの少なくとも一方に出力すべきデータが存在しない場合には（ステップＳ２２のＮＯ）、データ検出手段４１は、当該スキャン間の紙送りを通常の精度にするよう紙送り制御情報を「通常」に設定する（ステップＳ２３）。すると、印字部３６による実際の出力の際には、搬送手段切り替え手段４２が、一定の回転角度だけ一定の速度で搬送モータを回転させる通常の精度の紙送りをＣＰＵ２１に実行させる。以後同様の制御を出力すべきデータがなくなるまで繰り返す。
【００３０】
図８は、紙送り精度を切り替える別の方法を示すフローチャートである。ステップＳ２１、Ｓ２２及びＳ２３は上述の方法と同様である。しかし、一のスキャン領域の最終ライン及び後続のスキャン領域の先頭ラインのうちの少なくとも一方に出力すべき画像データが存在しない場合に（ステップＳ２２のＮＯ）、データ検出手段４１は、当該スキャン間の紙送りを高速にするよう紙送り制御情報を「高速」に設定する（ステップＳ３１）。すると、印字部３６による実際の出力の際には、この紙送り制御情報に基づいて、搬送手段切り替え手段４２が、搬送モータを通常より高速で回転させる高速の紙送りをＣＰＵ２１に実行させる。
【００３１】
図９は、高精度の紙送りの使用を禁止する方法を示すフローチャートである。禁止手段４３は、操作部１０のタッチパネル上に高精度の紙送りを使用するか否かの選択ボタンを表示し、ユーザーは高精度の紙送りを使用するか否かを選択する（ステップＳ４１）。ユーザーが高精度の紙送りを使用することを操作部１０で選択した場合（ステップＳ４１のＹＥＳ）、禁止手段４３は、データ検出手段４１が紙送り制御情報に「高精度」、「通常」、「高速」の３つの何れかを設定できるようにする（ステップＳ４２）。ユーザーが高精度の紙送りを使用しないことを操作部１０で選択した場合（ステップＳ４１のＮＯ）、禁止手段４３は、データ検出手段４１が紙送り制御情報に「高精度」を設定できないようにする（ステップＳ４３）。すなわち、ユーザーが高精度の紙送りを使用しないことを操作部１０で選択した場合には、禁止手段４３は、データ検出手段４１が引き続き紙送り制御情報を「通常」又は「高速」に設定できるようにする。或いは、禁止手段４３は、データ検出手段４１及び搬送手段切り替え手段４２を無効にでき、その結果、これら手段の処理に要する時間を省略することができるようにしてもよい。さらに、禁止手段４３は、インクジェット記録装置が常に高速の紙送りを行うように設定することもできる。このように、ユーザーは必要に応じて紙送り精度を向上させ画像品質を最優先とする処理と、処理時間の迅速化を最優先とする処理とを段階的に選択することが可能となる。
【００３２】
以上より、本発明は、出力すべき画像の品質を向上させるよう紙送り精度をより高い精度に切り替えることができるインクジェット記録装置を提供できる。
【００３３】
一般的に高精度の紙送りは画質を向上させるが、計算処理及び紙送り作業に要する時間を短縮することにはならず、場合によっては延長させ、その結果、インクジェット記録装置の生産性を低下させてしまう場合がある。また、紙送り精度は画質を左右する重要な要素となり得るので、計算処理や紙送り作業の効率化のために安易に低精度の紙送りに切り替えることはできない。
【００３４】
そこで、本発明は、出力画像の品質を向上させながら、計算処理及び紙送り作業に要する時間の延長を回避し或いは短縮することができる。
【００３５】
また、インクジェット記録装置のユーザーによっては、出力画像の品質よりもインクジェット記録装置の生産性を重視する場合もある。
【００３６】
そこで、本発明は、ユーザーが必要に応じて高精度の紙送りを禁止できるようにする。
【図面の簡単な説明】
【００３７】
【図１】本発明によるインクジェット記憶装置の構成例を示すブロック図である。
【図２】本発明によるインクジェット記録装置の紙送り機構の例を示す図である。
【図３】本発明の実施例で使用される記録ヘッドの構成例を示す図である。
【図４】画像データ及び紙送り制御情報を取得する流れを示すフローチャートである。
【図５】印字部が画像データを出力する流れを示すフローチャートである。
【図６】画像用ＲＡＭに展開される印字データの構成例を示す図である。
【図７】紙送り精度を切り替える方法を示すフローチャートである。
【図８】紙送り精度を切り替える別の方法を示すフローチャートである。
【図９】高精度の紙送りの使用を禁止する方法を示すフローチャートである。
【符号の説明】
【００３８】
１０      操作部
２０      制御部
２５      Ｉ／Ｏ制御部
３３      画像用ＲＡＭ
３７      センサ
３８      搬送モータ
４１      データ検出手段
４２      搬送手段切り替え手段
４３      禁止手段
５０      キャリッジ
５１      ヘッド
５３      搬送ローラ
６１      ノズル
７１、７３、７５、７７、７９、８１  先頭ライン
７２、７４、７６、７８、８０        最終ライン
【図１】
2007038509.tif 000003
【図２】
2007038509.tif 000004
【図３】
2007038509.tif 000005
【図４】
2007038509.tif 000006
【図５】
2007038509.tif 000007
【図６】
2007038509.tif 000008
【図７】
2007038509.tif 000009
【図８】
2007038509.tif 000010
【図９】
2007038509.tif 000011